【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
計測面内で一様な特性を持つ光の分光計測を行う分光計測システムであって、
該分光計測システムに対する入射光から色光情報を抽出し、
別に保持されている計測対象の分光特性の統計的特徴量を用いて、色光情報の光電変換値から入射光の分光特性を推定する、
ことを特徴とする分光計測システム。
【請求項２】
前記色光情報の抽出は、透過型の光学材料を含む手段により行われる、
ことを特徴とする請求項１記載の分光計測システム。
【請求項３】
前記統計的特徴量は、前記色光情報から前記計測対象の種類を判別した結果に基づいて選択される場合を含む、
ことを特徴とする請求項１記載の分光計測システム。
【請求項４】
前記色光情報の抽出は、計測対象または目的に応じて使用する材料を交換できるように構成された手段により行われる、
ことを特徴とする請求項１記載の分光計測システム。
【請求項５】
前記統計的特徴量は、計測対象または目的に応じて分類されている、
ことを特徴とする請求項１記載の分光計測システム。
【請求項６】
計測面内で一様な特性を持つ光の分光計測を行う分光計測システムの信号処理方法であって、
該分光計測システムに対する入射光から色光情報を抽出し、
別に保持されている計測対象の分光特性の統計的特徴量を用いて、色光情報の光電変換値から入射光の分光特性を推定する、
ことを特徴とする分光計測システムの信号処理方法。
【請求項７】
前記色光情報の抽出は、透過型の光学材料を含む手段により行われる、
ことを特徴とする請求項６記載の分光計測システムの信号処理方法。
【請求項８】
前記統計的特徴量は、前記色光情報から前記計測対象入射光の種類を判別した結果に基づいて選択される場合を含む、
ことを特徴とする請求項６記載の分光計測システムの信号処理方法。
【請求項９】
前記色光情報の抽出は、計測対象または目的に応じて使用する材料を交換できるように構成された手段により行われる、
ことを特徴とする請求項６記載の分光計測システムの信号処理方法。
【請求項１０】
前記統計的特徴量は、計測対象または目的に応じて分類されている、
ことを特徴とする請求項６記載の分光計測システムの信号処理方法。
【請求項１１】
色光情報の抽出の際における透過型光学材料もしくは反射型光学材料の分光特性に関係するデータおよび光電変換の分光特性に関係するデータから派生される統計的特徴量としてのマトリクスを更新する、
ことを特徴とする請求項６記載の分光計測システムの信号処理方法。
【請求項１２】
光電変換する際の光電変換素子面内における輝度特性のばらつきを補正してから分光特性を推定する、
ことを特徴とする請求項６記載の分光計測システムの信号処理方法。
【手続補正２】
【補正対象書類名】明細書
【補正対象項目名】００５５
【補正方法】変更
【補正の内容】
【００５５】
（１）請求項１記載の発明によれば、入射光から色光情報を抽出し、別に保持されている計測対象の分光特性の統計的特徴量を用いて、色光情報の光電変換値から入射光の分光特性を推定することで、複雑な光学系を必要とせずに分光特性を計測できるようになる。
【手続補正３】
【補正対象書類名】明細書
【補正対象項目名】００５６
【補正方法】変更
【補正の内容】
【００５６】
（２）請求項２記載の発明では、色光情報の抽出が透過型の光学材料を含む手段により行われるため、反射型のシステムと比較して小型化に有利になる。
【手続補正４】
【補正対象書類名】明細書
【補正対象項目名】００５７
【補正方法】変更
【補正の内容】
【００５７】
（３）請求項３記載の発明では、統計的特徴量は、色光情報から計測対象の種類を判別した結果に基づいて選択されるため、統計的特徴量を計測対象の種類で最適化することで、分光特性の推定精度を向上させることができるようになる。
【手続補正５】
【補正対象書類名】明細書
【補正対象項目名】００５８
【補正方法】変更
【補正の内容】
【００５８】
（４）請求項４記載の発明では、計測対象または目的に応じて使用する材料を交換できるように構成された手段により色光情報の抽出が行われるため、使用する材料を交換することで分光特性の特定により適した色光情報を得ることができるようになる。
【手続補正６】
【補正対象書類名】明細書
【補正対象項目名】００５９
【補正方法】変更
【補正の内容】
【００５９】
（５）請求項５記載の発明では、統計的特徴量は、計測対象または目的に応じて分類されているため、計測対象または目的に応じた統計的特徴量の抽出を可能にしている。
【手続補正７】
【補正対象書類名】明細書
【補正対象項目名】００６０
【補正方法】変更
【補正の内容】
【００６０】
（６）請求項６に記載の発明では、入射光から色光情報を抽出し、別に保持されている計測対象の分光特性の統計的特徴量を用いて、色光情報の光電変換値から入射光の分光特性を推定することで、複雑な光学系を必要とせずに分光特性を計測できるようになる。
【手続補正８】
【補正対象書類名】明細書
【補正対象項目名】００６１
【補正方法】変更
【補正の内容】
【００６１】
（７）請求項７記載の発明では、色光情報の抽出が透過型の光学材料を含む手段により行われるため、反射型のシステムと比較して小型化に有利になる。
【手続補正９】
【補正対象書類名】明細書
【補正対象項目名】００６２
【補正方法】変更
【補正の内容】
【００６２】
（８）請求項８記載の発明では、統計的特徴量は、色光情報から計測対象の種類を判別した結果に基づいて選択されるため、統計的特徴量を計測対象の種類で最適化することで、分光特性の推定精度を向上させることができるようになる。
【手続補正１０】
【補正対象書類名】明細書
【補正対象項目名】００６３
【補正方法】変更
【補正の内容】
【００６３】
（９）請求項９記載の発明では、計測対象または目的に応じて使用する材料を交換できるように構成された手段により色光情報の抽出が行われるため、使用する材料を交換することで分光特性の特定により適した色光情報を得ることができるようになる。
【手続補正１１】
【補正対象書類名】明細書
【補正対象項目名】００６４
【補正方法】変更
【補正の内容】
【００６４】
（１０）請求項１０記載の発明では、統計的特徴量は、計測対象または目的に応じて分類されているため、計測対象または目的に応じた統計的特徴量の抽出を可能にしている。
【手続補正１２】
【補正対象書類名】明細書
【補正対象項目名】００６５
【補正方法】削除
【補正の内容】
【手続補正１３】
【補正対象書類名】明細書
【補正対象項目名】００６６
【補正方法】削除
【補正の内容】
【手続補正１４】
【補正対象書類名】明細書
【補正対象項目名】００６７
【補正方法】削除
【補正の内容】
【手続補正１５】
【補正対象書類名】明細書
【補正対象項目名】００６８
【補正方法】削除
【補正の内容】
【手続補正１６】
【補正対象書類名】明細書
【補正対象項目名】００６９
【補正方法】変更
【補正の内容】
【００６９】
（１１）請求項１１記載の発明では、色光情報の抽出の際における透過型光学材料もしくは反射型光学材料の分光特性に関係するデータおよび光電変換部の分光特性に関係するデータから派生される統計的特徴量としてのマトリクスを更新するので、システムの経時変化に対応した分光推定が可能となる。
【手続補正１７】
【補正対象書類名】明細書
【補正対象項目名】００７０
【補正方法】変更
【補正の内容】
【００７０】
（１２）請求項１２記載の発明では、光電変換する際の光電変換素子面内における輝度特性のばらつきを補正してから分光特性を推定するので、画像位置の違いによる推定誤差を抑えることができる。